(57)【要約】【課題】シールド自体に口鼻対向凹部を形成してブレスガードとすることにより、人息の流れを簡単かつ確実に規制できるようにする。【解決手段】  頭部ａを覆うヘルメット本体３に回動自在に装着されていて顔面ａ１前方のヘルメット本体３の開口部３Ａを覆うシールドである。シールド前面部４Ａの口ａ２及び鼻穴ａ３に対向する部位からシールド下縁４Ｄまでをその周囲部位より前方向に突出する膨出部５を形成して膨出部５のシールド内面４Ｂ側に口鼻対向凹部５Ｂを形成する。【選択図】図１
2019116697.tif 000002
【特許請求の範囲】
【請求項１】
頭部（ａ）を覆うヘルメット本体（３）に回動自在に装着されていて顔面（ａ１）前方のヘルメット本体（３）の開口部（３Ａ）を覆うシールドであって、
シールド前面部（４Ａ）の口（ａ２）及び鼻穴（ａ３）に対向する部位からシールド下縁（４Ｄ）までをその周囲部位より前方向に突出する膨出部（５）を形成して膨出部（５）のシールド内面（４Ｂ）側に口鼻対向凹部（５Ｂ）を形成していることを特徴とするヘルメット用シールド。
【請求項２】
前記シールド内面（４Ｂ）の口鼻対向凹部（５Ｂ）の外周部（６）は正面視略山形状であって、口鼻対向凹部（５Ｂ）の下部は下方に開放されていることを特徴とする請求項１に記載のヘルメット用シールド。
【請求項３】
前記シールド内面（４Ｂ）に口鼻対向凹部（５Ｂ）の外周に顔面（ａ１）側に突出したガード部材（７）が取り付けられていることを特徴とする請求項１又は２に記載のヘルメット用シールド。
【請求項４】
前記ガード部材（７）の取付部（７ａ）は、口鼻対向凹部（５Ｂ）の外周部（６）又は口鼻対向凹部（５Ｂ）の外周部（６）に隣接した周囲部位内面に取り付けられていることを特徴とする請求項３に記載のヘルメット用シールド。
【請求項５】
頭部（ａ）を覆うヘルメット本体（３）に回動自在に装着されていて顔面（ａ１）前方のヘルメット本体（３）の開口部（３Ａ）を覆うシールドであって、
シールド前面部（４Ａ）の口（ａ２）及び鼻穴（ａ３）に対向する部位からシールド下縁（４Ｄ）までのシールド内面（４Ｂ）に、顔面（ａ１）側に突出した正面視略山形状のガード部材（７）を取り付けて、ガード部材（７）で包囲される口鼻対向凹部（５Ｂ）を形成していることを特徴とするヘルメット用シールド。
【発明の詳細な説明】
【技術分野】
【０００１】
本発明は、人息による曇りを防止できるようにしたヘルメット用シールドに関する。
【背景技術】
【０００２】
自動二輪車乗用時に着用するヘルメットとして、フルフェースタイプとジェットタイプとがある。
フルフェースタイプのヘルメットのブレスガード取付構造は、特許文献１に開示されているように、周縁がトリムによって縁取られた前部開口部を有する本体の前記トリムの内側に沿ってデフロスタを取り付け、本体の前部開口部を開閉自在なシールドで覆うとともに、同前部開口部の下部周縁から内方へ延在するブレスガードを設けている（請求項１）。
【０００３】
また、ジェットタイプのヘルメットのシールドは特許文献２に開示されているように、顎部を開放した帽体の前面開口部を該帽体の左右両側部を支点として回動するシールドで覆い、且つそのシールドの軸支部に帽体の左右両側部に亘って装着者の顎部を覆うチンガードアームが回動・係止自在に取り付けている。
【先行技術文献】
【特許文献】
【０００４】
【特許文献１】特許第２９９２９６９号公報
【特許文献２】特許第２５０１４１５号公報
【発明の概要】
【発明が解決しようとする課題】
【０００５】
前記前者従来技術は、ブレスガードによって、人の吐く息がシールドに流れるのを阻止して、シールドが曇るのを防止できるようにしているが、チンガードアームが存在しないと、ブレスガードを取り付けるのが困難になっており、また、トリム及びデフロスタ等の多数の部品を必要としている。
ジェットタイプのヘルメットはシールドにブレスガードを設ける技術はなく、前記後者従来技術においても、シールドの下部にチンガードアームを備えていてもブレスガードはなく、シールドの曇り防止を行うことが困難になっている。
【０００６】
本発明は、このような従来技術の問題点を解決できるようにしたヘルメット用シールドを提供することを目的とする。
本発明は、シールド自体に口鼻対向凹部を形成してブレスガードとすることにより、人息の流れを簡単かつ確実に規制できるようにしたヘルメット用シールドを提供することを目的とする。
【課題を解決するための手段】
【０００７】
本発明における課題解決のための具体的手段は、次の通りである。
第１に、頭部ａを覆うヘルメット本体３に回動自在に装着されていて顔面ａ１前方のヘルメット本体３の開口部３Ａを覆うシールドであって、
シールド前面部４Ａの口ａ２及び鼻穴ａ３に対向する部位からシールド下縁４Ｄまでをその周囲部位より前方向に突出する膨出部５を形成して膨出部５のシールド内面４Ｂ側に口鼻対向凹部５Ｂを形成していることを特徴とする。
【０００８】
第２に、前記シールド内面４Ｂの口鼻対向凹部５Ｂの外周部６は正面視略山形状であって、口鼻対向凹部５Ｂの下部は下方に開放されていることを特徴とする。
第３に、前記シールド内面４Ｂに口鼻対向凹部５Ｂの外周に顔面ａ１側に突出したガード部材７が取り付けられていることを特徴とする。
第４に、前記ガード部材７の取付部７ａは、口鼻対向凹部５Ｂの外周部６又は口鼻対向凹部５Ｂの外周部６に隣接した周囲部位内面に取り付けられていることを特徴とする。
【０００９】
第５に、頭部ａを覆うヘルメット本体３に回動自在に装着されていて顔面ａ１前方のヘルメット本体３の開口部３Ａを覆うシールドであって、
シールド前面部４Ａの口ａ２及び鼻穴ａ３に対向する部位からシールド下縁４Ｄまでのシールド内面４Ｂに、顔面ａ１側に突出した正面視略山形状のガード部材７を取り付けて、ガード部材７で包囲される口鼻対向凹部５Ｂを形成していることを特徴とする。
【発明の効果】
【００１０】
本発明によれば、シールド自体に形成した口鼻対向凹部がブレスガードになっており、人息の流れを簡単かつ確実に規制できる。
即ち、請求項１に係る発明は、シールド前面部４Ａの口ａ２及び鼻穴ａ３に対向する部位からシールド下縁４Ｄまでをその周囲部位より前方向に突出する膨出部５を形成して、シールド内面４Ｂに口鼻対向凹部５Ｂを形成しているので、人息を口鼻対向凹部５Ｂに収容してシールド内面４Ｂ上部へ流れるのを規制し、簡単かつ確実に曇り止めができる。
【００１１】
請求項２に係る発明は、口鼻対向凹部５Ｂは外周部６が正面視略山形状でかつ下方に開放されているので、口鼻対向凹部５Ｂに収容した人息を下方へ容易に排出することができる。
請求項３に係る発明は、口鼻対向凹部５Ｂの外周に顔面ａ１側に突出したガード部材７が取り付けられているので、口鼻対向凹部５Ｂに収容した人息が漏れ出てきても、シールド内面４Ｂから遠くに離すことができ、シールド内面４Ｂを曇らせることをより抑制することができる。また、シールド下縁４Ｄからの風の巻き込みが軽減できる。
【００１２】
請求項４に係る発明は、ガード部材７を口鼻対向凹部５Ｂの外周部６に案内されて適正位置に取り付けることができる。
請求項５に係る発明は、シールド前面部４Ａの口ａ２及び鼻穴ａ３に対向する部位からシールド下縁４Ｄまでのシールド内面４Ｂに、顔面ａ１側に突出した正面視略山形状のガード部材７を取り付けて、ガード部材７で包囲される口鼻対向凹部５Ｂを形成しているので、人息を口鼻対向凹部５Ｂに収容してシールド内面４Ｂ上部へ流れるのを規制し、簡単かつ確実に曇り止めができる。
【図面の簡単な説明】
【００１３】
【図１】本発明の第１実施形態を示す断面側面図である。
【図２】同外形斜視図である。
【図３】シールドの平面図である。
【図４】本発明の第２実施形態を示す要部の断面図である。
【図５】本発明の第３実施形態を示す要部の断面図である。
【図６】本発明の第４実施形態を示す要部の断面図である。
【図７】本発明の第５実施形態を示す要部の断面図である。
【発明を実施するための形態】
【００１４】
以下、本発明の実施の形態を図面に基づいて説明する。
図１〜３に示す第１実施形態において、ジェットタイプヘルメット１は、頭部ａを覆うヘルメット本体３と、このヘルメット本体３に回動自在に装着されていて顔面ａ１前方のヘルメット本体３の開口部３Ａを覆うシールド４とを備えている。
ジェットタイプはヘルメット本体３にチンガードアームが存在しないので、開口部３Ａはヘルメット本体３の略全前面に形成されており、シールド４は顔面ａ１の略全前面を覆うことができ、覆い位置からヘルメット本体３の上方へ退避させることができる。
【００１５】
シールド４は側面視（図１）が大径曲率の略円弧形状であり、平面視（図３）が小径曲率の略円弧形状であり、左右側部にヘルメット本体３に回動自在にかつ着脱自在に装着される装着部４Ｃを有している。
シールド４のシールド前面部４Ａには、頭部ａの前面側の口ａ２及び鼻穴ａ３に対向した対向部位からシールド下縁４Ｄまで膨出部５を形成している。この膨出部５はその周囲部位より前方向に突出しており、従って、膨出部５のシールド内面４Ｂ側には口ａ２及び鼻穴ａ３に対向する口鼻対向凹部５Ｂが形成されている。
【００１６】
シールド４は全域が略同一肉厚であって、前方突出の膨出部５を表面に形成することは、裏面に口鼻対向凹部５Ｂが同時に形成される。シールド４は硬質ポリカーボネイト等の合成樹脂を真空成形にて成形されるので、膨出部５及び口鼻対向凹部５Ｂは金型を加工することにより容易に形成することができる。
前記口鼻対向凹部５Ｂはシールド内面４Ｂから２〜２０ｍｍの段差をもっていることが好ましく、口鼻対向凹部５Ｂの外周部６は図２に示すような正面視略山形状であって、口鼻対向凹部５Ｂの下部は下方に開放されていて、人息が流出できかつ外気が流入可能になっている。
【００１７】
前記シールド内面４Ｂに口鼻対向凹部５Ｂの外周に顔面ａ１側に突出したガード部材７が取り付けられている。このガード部材７はゴム、軟質樹脂等で形成されており、正面視が口鼻対向凹部５Ｂの外周部６と同様な正面視略山形状であって、取付部７ａと突出部７ｂとで断面が略Ｌ字形状になっている。
ガード部材７の取付部７ａは突出部７ｂより口鼻対向凹部５Ｂ側に位置し、シールド内面４Ｂにおける口鼻対向凹部５Ｂの外周部６に隣接した周囲部位内面に接着剤又は両面接着テープ等を介して取り付けられている。このガード部材７は口鼻対向凹部５Ｂと相まって、人息がシールド内面４Ｂ側へ流出するのを強力に規制するブレスガードを構成する。
【００１８】
前記ガード部材７の突出部７ｂは、先端が顔面ａ１に近接することが好ましく、例えば、シールド内面４Ｂから２〜１５ｍｍの突出量をもっており、突出部７ｂの幅（突出量）は中央上部が幅広で左右下部が幅狭になっている。このガード部材７の突出部７ｂは、シールド４をヘルメット本体３の上方へ退避させるときに、ヘルメット本体３の上部と干渉しない突出量とされている。
【００１９】
図４は本発明の第２実施形態を示しており、ガード部材７の取り付け構造が前記第１実施形態と異なり、突出部７ｂが取付部７ａより口鼻対向凹部５Ｂ側に位置しており、その内面（下面）が断面円弧形状で、口鼻対向凹部５Ｂの外周部６と円弧状に円滑に接続するように形成されている。
図５は本発明の第３実施形態を示しており、ガード部材７の取り付け構造が前記第１実施形態と異なり、ガード部材７の取付部７ａは口鼻対向凹部５Ｂの外周部６に接着されている。従って、断面において、取付部７ａは口鼻対向凹部５Ｂの外周部６に、断面において円弧状に添接する形状になっている。ガード部材７の突出部７ｂは取付部７ａの延長で円弧形状、又は直線形状に形成されている。
【００２０】
図６は本発明の第４実施形態を示しており、口鼻対向凹部５Ｂの外周部６のみでブレスガードを構成している。この外周部６は断面において前記第１実施形態より小径曲率の円弧であり、その内面はシールド内面４Ｂの口鼻対向凹部５Ｂ側の縁より僅かに上方に位置し、人息がシールド内面４Ｂへ流れるのを外周部６単独で規制できるようにしている。
図７は本発明の第５実施形態を示しており、シールド前面部４Ａは膨出部５のない円滑な球面形状であり、シールド前面部４Ａの口ａ２及び鼻穴ａ３に対向する部位からシールド下縁４Ｄまでのシールド内面４Ｂに、顔面ａ１側に突出した正面視略山形状のガード部材７を取り付けている。このガード部材７を取り付けることにより、シールド内面４Ｂにはガード部材７で包囲される口鼻対向凹部５Ｂを形成している。
【００２１】
前記第１〜３実施形態では、膨出部５で口鼻対向凹部５Ｂを形成した上でさらにガード部材７が形成する口鼻対向凹部５Ｂを重合して深い口鼻対向凹部５Ｂを形成しているが、この第５実施形態ではシールド内面４Ｂにガード部材７のみで口鼻対向凹部５Ｂを形成している。
ガード部材７単独の口鼻対向凹部５Ｂは、前記第４実施形態と同様に、人息がシールド内面４Ｂへ流れるのをガード部材７単独で規制でき、また、シールド下縁４Ｄからシールド１内への風の巻き込みが軽減できる。
【００２２】
ヘルメット用シールド１は、人がヘルメット本体３を頭部ａに被り、シールド１を下げて開口部３Ａを覆う状態にしたとき、人が口ａ２又は鼻穴ａ３から吐く息は、前方の口鼻対向凹部５Ｂに収集され、口鼻対向凹部５Ｂの外周部６がシールド内面４Ｂで区画された凹みであることにより、人息がシールド内面４Ｂ側へ流れるのが規制される。
口鼻対向凹部５Ｂの外周部６に設けられたガード部材７は前記外周部６と相まって、人息が口鼻対向凹部５Ｂから流出してもシールド内面４Ｂから離れた顔面ａ１側へ案内し、シールド内面４Ｂへ流れるのを効果的に規制する。また、シールド下縁４Ｄからシールド１内への風の巻き込みが軽減でき、顔面ａ１への影響を抑制できる。
【００２３】
前記口鼻対向凹部５Ｂの外周部６もガード部材７も、人息を捕らえて拡散するのを規制する仕切り壁であり、巻き込み風が顔面ａ１の目へ至るのを規制する仕切り壁にもなっている。
なお、本発明は前記実施形態に限定されるものではなく、部材の形状、構成及び組み合わせ等を変更したりすることもできる。
【００２４】
例えば、ガード部材７はシールド１のシールド内面４Ｂに一体成形してもよい。
ガード部材７は、取付部７ａが全長略均一幅を有し、突出部７ｂも全長略均一幅に形成してもよい。
シールド内面４Ｂの口鼻対向凹部５Ｂの外周部６は、正面視逆Ｕ字形状に形成してもよい。
【００２５】
シールド１はジェットタイプ用として例示したが、チンガードアームを有するフルフェースタイプのヘルメットのシールドに適用してもよい。
【符号の説明】
【００２６】
１        シールド
３        ヘルメット本体
３Ａ      開口部
４        シールド
４Ａ      シールド前面部
４Ｂ      シールド内面
４Ｃ      装着部
４Ｄ      シールド下縁
５        膨出部
５Ｂ      口鼻対向凹部
６        外周部
７        ガード部材
７ａ      取付部
７ｂ      突出部
ａ        頭部
ａ１      顔面
ａ２      口
ａ３      鼻穴
【図１】
2019116697.tif 000003
【図２】
2019116697.tif 000004
【図３】
2019116697.tif 000005
【図４】
2019116697.tif 000006
【図５】
2019116697.tif 000007
【図６】
2019116697.tif 000008
【図７】
2019116697.tif 000009